(57)【要約】【課題】ＡＶデータをプレイリストと呼ばれる再生単位で管理するシステムにおいて、操作履歴に応じた仮想プレイリストを自動的に作成して、ＡＶデータの消去やダビングの情報として利用する。【解決手段】記録や再生の操作履歴を監視する操作履歴監視手段と、前記操作履歴監視手段に基づいて未再生区間を登録する未視聴領域仮想プレイリスト更新手段と、再生済み区間を登録する視聴済領域仮想プレイリスト更新手段と、早送りやスキップなどの特殊な再生を行った区間を登録する消去候補領域仮想プレイリスト更新手段と、仮想プレイリストを削除する際に参照している実ＡＶデータの区間も削除するかどうかを選択するプレイリスト削除選択手段と、仮想プレイリストが参照している実ＡＶデータの区間を削除するプレイリスト実ＡＶデータ削除手段とを備える。【選択図】図１
2009151848.tif 000002
【特許請求の範囲】
【請求項１】
ＡＶデータをプレイリストと呼ばれる再生単位で管理するシステムにおいて、ディスク上の実ＡＶデータの管理に直接影響のあるリアルプレイリストと、リアルプレイリストの区間を間接的に参照している仮想プレイリストの情報を管理して各種制御を行うプレイリスト情報管理手段と、
ＡＶデータを記録する記録手段と、
記録したＡＶデータを再生する再生手段と、
前記記録手段または前記再生手段で記録または再生操作された履歴を監視する操作履歴監視手段と、
前記再生手段において未再生区間を未視聴領域仮想プレイリストに登録する未視聴領域仮想プレイリスト更新手段と、
前記再生手段において再生された区間を視聴済領域仮想プレイリストに登録する視聴済領域仮想プレイリスト更新手段と、
前記再生手段において早送り再生やスキップ再生の特殊な再生をした区間を消去候補領域仮想プレイリストに登録する消去候補領域仮想プレイリスト更新手段と、
ユーザが仮想プレイリスト削除時に参照している実ＡＶデータも同時に削除するかどうかを選択するプレイリスト削除選択手段と、
前記プレイリスト情報管理手段で管理されている情報を用いて、前記プレイリスト削除選択手段にて指定された仮想プレイリストに登録されている区間に相当する実ＡＶデータの削除を行うプレイリスト実ＡＶデータ削除手段と
を備えることを特徴とする記録再生編集装置。
【請求項２】
前記消去候補領域仮想プレイリスト更新手段において更新された仮想プレイリストをユーザが直接編集を行う仮想プレイリスト編集手段
をさらに備えることを特徴とする、請求項１に記載の記録再生編集装置。
【請求項３】
ユーザが別のメディアにダビングするプレイリストを選択するプレイリストダビング選択手段と、
前記プレイリスト情報管理手段で管理されている情報を用いて、前記プレイリストダビング選択手段にて指定された仮想プレイリストに登録されている区間に相当する実ＡＶデータの別メディアへのダビングを行う実ＡＶデータダビング手段と
をさらに備えることを特徴とする、請求項１または２に記載の記録再生編集装置。
【請求項４】
前記視聴済領域仮想プレイリスト更新手段において更新された視聴済領域仮想プレイリストと、前記消去候補領域仮想プレイリスト更新手段において更新された消去候補領域仮想プレイリストから、視聴済みでかつ消去候補の区間を除いたダビング候補領域仮想プレイリストを更新するダビング候補領域仮想プレイリスト更新手段と
をさらに備えることを特徴とする、請求項３に記載の記録再生編集装置。
【請求項５】
ＡＶデータをプレイリストと呼ばれる再生単位で管理するシステムにおいて、ＡＶデータを記録する記録ステップと、
前記記録ステップで記録したＡＶデータを再生する再生ステップと、
前記記録ステップ及び前記再生ステップで記録及び再生された操作履歴に基づいて未視聴区間をまとめた未視聴領域仮想プレイリストを自動更新する第１の自動更新ステップと、
前記再生ステップで再生された操作履歴に基づいて早送りやスキップした区間などをまとめた消去候補領域仮想プレイリストを自動更新する第２の自動更新ステップと、
前記再生ステップで再生された操作履歴に基づいて再生済み区間をまとめた視聴済領域仮想プレイリストを自動更新する第３の自動更新ステップと、
仮想プレイリストを削除する場合に参照しているＡＶデータの削除も行うかどうかの判断を行う判断ステップと、
前記判断ステップで参照しているＡＶデータの削除も行うと判断した場合に、参照している実ＡＶデータの削除を行う削除ステップと、
関連するリアルプレイリストの管理情報の更新を行う第４の自動更新ステップと、
関連する仮想プレイリストの管理情報の更新を行う第５の自動更新ステップと
を有することを特徴とする記録再生編集方法。
【請求項６】
前記第３の自動更新ステップにおいて、更新された仮想プレイリストをユーザが直接編集を行う直接編集ステップと
をさらに有することを特徴とする、請求項５に記載の記録再生編集方法。
【請求項７】
ユーザが別のメディアにダビングするプレイリストを選択する選択ステップと、
指定した仮想プレイリストに登録されている区間に相当する実ＡＶデータの別メディアへのダビングを行うダビングステップと
をさらに有することを特徴とする、請求項５または６に記載の記録再生編集方法。
【請求項８】
前記第３の自動更新ステップにおいて更新された視聴済領域仮想プレイリストと、前記第２の自動更新ステップにおいて更新された消去候補領域仮想プレイリストから、視聴済みでかつ消去候補の区間を除いたダビング候補領域仮想プレイリストを更新する第６の自動更新ステップと
をさらに有することを特徴とする、請求項７に記載の記録再生編集方法。
【請求項９】
請求項５〜請求項８のいずれかの請求項に記載の記録再生編集方法を含むプログラム。
【請求項１０】
請求項９に記載のプログラムを記録した媒体。
【発明の詳細な説明】
【技術分野】
【０００１】
本発明は、ハードディスクあるいは光ディスクなどの大容量記録メディアに記録されたＡＶデータをプレイリストと呼ばれる管理情報で管理する記録再生編集装置において、特に、プレイリストの情報を使ってＡＶデータの消去やダビングなどを行うことが可能な記録再生編集装置及び方法に関するものである。
【背景技術】
【０００２】
近年、情報記録媒体としてＤＶＤやＢＤ（ブルーレイディスク）等の光ディスク及びあるいはハードディスクを用いて、ＡＶデータを記録、再生、編集する記録再生編集装置が普及している。
【０００３】
ＤＶＤやＢＤ等の規格では、ディスク内でのＡＶデータの再生や名称などの情報を管理するための管理情報ファイルが定義されている。たとえばＡＶデータをユーザが再生制御する単位としてプレイリストとよばれる管理情報が定義されている。プレイリストは再生が連続に行われることをユーザが暗黙的に期待する単位のことで、最も簡単なプレイリストの例は、録画開始から録画停止までの一連のＡＶデータである。
【０００４】
また、プレイリストにはＡＶデータと直接関連付けられるリアルプレイリストと、ＡＶデータとは間接的に結びついている仮想プレイリストが存在する。ここで、リアルプレイリストと仮想プレイリストおよびＡＶデータの関係について、図２を使って説明する。リアルプレイリストおよび仮想プレイリストは共にひとつ以上のＰｌａｙＩｔｅｍと呼ばれる論理的な再生単位で構成される。ＰｌａｙＩｔｅｍはＡＶデータの再生開始時間と終了時間を管理しており、ＡＶデータを管理するクリップ情報と関連付けられている。リアルプレイリストはこのクリップと直接関連付けられているため、リアルプレイリストの編集はクリップに影響を与えるが、仮想プレイリストは間接的にクリップを参照しているだけなので、仮想プレイリストの編集を行ってもＡＶデータには何も影響がない。よってリアルプレイリストの一部または全部を消去するとそれに対応したＡＶデータも消去されるが、仮想プレイリストを消去しても通常ＡＶデータは消去されない（例えば、非特許文献１または２参照。）。
【０００５】
また、ＤＶＤやＢＤの光ディスクおよびハードディスクの容量は有限であるため、録画し続けると残容量がすぐになくなってしまい、ユーザは不必要となった番組を消去、もしくは他のメディアへダビング（ムーブ）する必要がある。
【０００６】
このような課題を解決するため、ユーザの再生などの操作履歴を使ってユーザにとって不要なＡＶデータの一部あるいは全部を消去することができる番組録画再生装置が提案されている（例えば、特許文献１参照。）。
【０００７】
このような番組録画再生装置は、ユーザ操作の「早送り」操作や「スキップ」操作などの操作履歴情報を専用の操作履歴メモリに保持し、その操作履歴情報からユーザの関心度を割り出し、ユーザに消去対象のＡＶデータの優先度を提示することが可能である。
【０００８】
しかしながら、従来例ではユーザの操作履歴は専用メモリに保持するだけなので、その機器専用のドライブであるハードディスクには有効であるが、ＤＶＤやＢＤ等のリムーバブルな光ディスクの場合には個別に操作履歴を管理するメモリを確保する必要があり、大量にある場合にはこの方法は必ずしも有効とはいえない。
【非特許文献１】ＤＶＤ  Ｓｐｅｃｉｆｉｃａｔｉｏｎｓ  ｆｏｒ  Ｒｅｗｒｉｔａｂｌｅ／Ｒｅ−Ｒｅｃｏｒｄａｂｌｅ  Ｄｉｓｃｓ    Ｐａｒｔ３  ＶＩＤＥＯ  ＲＥＣＯＲＤＩＮＧ
【非特許文献２】Ｂｌｕ−ｒａｙ  Ｄｉｓｃ  Ｓｙｓｔｅｍ  Ｄｅｓｃｒｉｐｔｉｏｎ  Ｂｌｕ−ｒａｙ  Ｄｉｓｃ  Ｓｙｓｔｅｍ  Ｄｅｓｃｒｉｐｔｉｏｎ  Ｂｌｕ−ｒａｙ  Ｄｉｓｃ  Ｒｅｗｒｉｔａｂｌｅ  Ｆｏｒｍａｔ    Ｐａｒｔ３  Ａｕｄｉｏ  Ｖｉｓｕａｌ  Ｂａｓｉｃ  Ｓｐｅｃｉｆｉｃａｔｉｏｎｓ
【特許文献１】特開２００４−７１５６号公報
【発明の開示】
【発明が解決しようとする課題】
【０００９】
ＡＶデータをプレイリストと呼ばれる再生単位で管理するシステムにおいて、本発明が解決しようとする課題は、操作履歴に応じた仮想プレイリストを自動的に作成して、ＡＶデータの消去やダビングを行う際の情報として活用し、消去やダビングの効率を上げることである。
【課題を解決するための手段】
【００１０】
本発明は、ＡＶデータをプレイリストと呼ばれる再生単位で管理するシステムにおいて、記録や再生の操作履歴を監視する操作履歴監視手段と、前記操作履歴監視手段に基づいて未再生区間を登録する未視聴領域仮想プレイリスト更新手段と、再生済み区間を登録する視聴済領域仮想プレイリスト更新手段と、早送りやスキップなどの特殊な再生を行った区間を登録する消去候補領域仮想プレイリスト更新手段と、仮想プレイリストを削除する際に参照している実ＡＶデータの区間も削除するかどうかを選択するプレイリスト削除選択手段と、仮想プレイリストが参照している実ＡＶデータの区間を削除するプレイリスト実ＡＶデータ削除手段を最も主要な特徴とする。
【発明の効果】
【００１１】
本発明の記録再生編集装置及び方法は、専用の記憶メモリを使うことなく、記録及び再生の操作履歴に応じて視聴に関する仮想プレイリストが自動的に更新され、これら仮想プレイリストの情報を使ってユーザにとって不要な区間の消去を効率よく行うことができるという利点がある。
【発明を実施するための最良の形態】
【００１２】
以下、本発明の実施形態について添付の図面を参照して説明する。なお、各図面において同一の符号は同一の構成要素または同様の作用、動作をなすものを表す。
【００１３】
（実施の形態１）
図１は、本発明装置の実施の形態１の記録再生編集装置及び方法の構成を示すブロック図である。
【００１４】
図１において、この 記録再生編集装置及び方法はプレイリスト情報管理手段１１、記録手段１２、再生手段１３、操作履歴監視手段１４、未視聴領域仮想プレイリスト更新手段１５、視聴済領域仮想プレイリスト更新手段１６、消去候補領域仮想プレイリスト更新手段１７、プレイリスト削除選択手段１８、プレイリスト実ＡＶデータ削除手段１９を備える。
【００１５】
記録再生編集装置及び方法の各構成部材について説明する。まず、プレイリスト情報管理手段１１では、全てのプレイリスト（リアル、バーチャルとも）の構成やＡＶデータの参照先などの情報を管理し、記録手段１２では、ＡＶデータを記録してリアルプレイリストとして管理情報に登録し、再生手段１３では、プレイリストを介して、ディスクに記録されたＡＶデータを再生し、操作履歴監視手段１４では、前記記録手段１２と前記再生手段１３の操作情報を元にユーザの操作履歴を管理し、未視聴領域仮想プレイリスト更新手段１５では、操作履歴情報から未視聴領域仮想プレイリストの情報を更新し、視聴済領域仮想プレイリスト更新手段１６では、操作履歴情報から視聴済領域仮想プレイリストの情報を更新し、消去候補領域仮想プレイリスト更新手段１７では、操作履歴情報から消去候補領域仮想プレイリストの情報を更新し、プレイリスト削除選択手段１８では、ユーザが消去するプレイリストを選択すると同時に消去対象が仮想プレイリストの場合には参照している実ＡＶデータも削除するかどうかを選択し、プレイリスト実ＡＶデータ削除手段１９では、前記プレイリスト削除選択手段１８で実ＡＶデータも削除することが選択されたときに参照している実ＡＶデータの削除を行う。
【００１６】
次に、本実施の形態１の記録再生編集装置及び方法の動作を図４、図５、図６を参照しながら動作の説明を行う。
【００１７】
まず、ＡＶデータの記録を行う（ステップＳ４００）。記録したＡＶデータはまだ再生を行っていないので、未視聴領域仮想プレイリストにその区間を追加登録して更新する（ステップＳ４０１）。
【００１８】
次にディスクに記録されている任意のリアルプレイリストの再生を行う（ステップＳ４１１）。その再生操作において未視聴領域仮想プレイリストに含まれる区間を再生した場合には（ステップＳ４１２）、未視聴領域仮想プレイリストからその区間を削除登録して更新する（ステップＳ４１３）。続いてユーザがある区間を早送りしたり、スキップしたりなどしてある区間の再生を飛ばすなどの特殊な再生をした場合には（ステップＳ４１４）、消去候補領域仮想プレイリストにその区間を追加登録して更新する（ステップＳ４１５）。続いて何らかの再生を行った区間は視聴済領域仮想プレイリストに追加登録して更新する（ステップＳ４１６）。
【００１９】
次にユーザが削除したいプレイリストを選択する（ステップＳ４２１）。選択したプレイリストが仮想プレイリストの場合（ステップＳ４２２）、仮想プレイリストが参照している実ＡＶデータも削除するかどうかを選択し（ステップＳ４２３）、削除する場合には参照している実ＡＶデータを削除し（ステップＳ４２４）、削除したＡＶデータを参照していたリアルプレイリストの管理情報を更新し（ステップＳ４２５）、同じくＡＶデータを参照していた仮想プレイリストの管理情報も更新する（ステップＳ４２６）。一方ステップＳ４２３にて実AVデータの削除が選択されなかった場合は、選択した仮想プレイリストの管理情報のみを削除する（ステップＳ４２７）。一方ステップ４２２においてリアルプレイリストであった場合は、通常通りの動作であって、参照しているＡＶデータの削除を行い（ステップＳ４２８）、同じＡＶデータを参照していた仮想プレイリストの管理情報を更新し（ステップＳ４２９）、最後に選択したリアルプレイリストの管理情報を削除する（ステップＳ４３０）。
【００２０】
図３に、本実施の形態１の記録再生編集装置及び方法の動作の一例を示すためのデータ構成図を示す。まず２つの番組が記録されると、それぞれのリアルプレイリスト＃１とリアルプレイリスト＃２が作成されると同時に、まだこれらは再生していないので、未視聴領域仮想プレイリストにこれらの区間を追加し内容を更新する。次にリアルプレイリスト＃１の前半部分を再生した場合、未視聴領域仮想プレイリストからはその再生した区間を削除して内容が更新され、同時に再生済領域仮想プレイリストには、再生した区間を追加し内容を更新する。次にリアルプレイリスト＃２の再生を行い途中でCM区間などを早送りやスキップして再生した場合、未視聴領域仮想プレイリストからはその再生した区間を削除して内容が更新され、同時に再生済領域仮想プレイリストには、再生した区間（早送りやスキップした区間も含む）を追加し内容を更新し、消去候補領域仮想プレイリストには、早送りやスキップした区間を追加し内容を更新する。
【００２１】
以上のように実施の形態１によれば、記録及び再生の操作履歴に応じて視聴に関する仮想プレイリストが自動的に更新され、これら仮想プレイリストの情報を使ってユーザにとって不要な区間の消去を効率よく行うことが可能である。
【００２２】
（実施の形態２）
図７は、本発明装置の実施の形態２の記録再生編集装置及び方法の構成を示すブロック図である。
【００２３】
図７において、５１はユーザが内容を確認しながら仮想プレイリストの編集を行う仮想プレイリスト編集手段であり、５０１は仮想プレイリスト編集手段５１でユーザが行った編集操作情報である。それ以外の符号で図１と同じ符号を有するものは同じ機能を有するので詳細な説明は省略する。
【００２４】
次に、図７を参照しながら、以上のように構成された実施の形態２の記録再生編集装置及び方法の動作の説明を行う。
【００２５】
記録や再生履歴に基づいて自動的に更新された未視聴領域仮想プレイリストや視聴済領域仮想プレイリストや消去候補領域仮想プレイリストに対して、仮想プレイリスト編集手段５１にてユーザがその内容を確認して、必要に応じて登録されている区間の変更や削除あるいはその他の区間を登録してその内容を更新する。その他は実施の形態１に記載の各処理と同じ手順であるので詳細な説明は省略する。
【００２６】
以上のように実施の形態２によれば、自動で更新された仮想プレイリストをユーザが後で補正を行うことで、ユーザの意図にあった仮想プレイリストととなり、削除時の区間の補正が可能となる。
【００２７】
（実施の形態３）
図８は、本発明装置の実施の形態３の記録再生編集装置及び方法の構成を示すブロック図である。
【００２８】
図８において、６１は他のメディアへＡＶデータのダビングを行うプレイリスト及びダビング方法を選択するプレイリストダビング選択手段であり、６０１はプレイリストダビング指示情報であり、６２は指定されたプレイリストが参照している実ＡＶデータを他のメディアへダビングする実ＡＶデータダビング手段であり、６０２は参照実ＡＶデータ管理情報である。それ以外の符号で図１と同じ符号を有するものは同じ機能を有するので詳細な説明は省略する。
【００２９】
次に、図８を用いて、以上のように構成された実施の形態３の記録再生編集装置及び方法の動作を説明する。
【００３０】
まず、プレイリストダビング選択手段６１において、ユーザが他のメディアへダビングを行うプレイリストを選択し、実ＡＶデータダビング手段６２において、別メディアへ指定したプレイリストが参照している実ＡＶデータのコピーを行う。プレイリストダビング選択手段６１において、ダビングと同時に対象プレイリストの削除が指定された場合は、プレイリスト実ＡＶデータ削除手段１９において、参照している実ＡＶデータの削除も行うことで、実ＡＶデータの移動が行える。その他は実施の形態２に記載の各処理と同じ手順であるので詳細な説明は省略する。
【００３１】
以上のように実施の形態３によれば、自動で更新された仮想プレイリストの情報を使って、ユーザにとって必要な区間のダビングあるいは移動を行うことが可能である。例えばプレイリストダビング選択手段６１において未視聴領域仮想プレイリストを選択すれば未だ見ていない（後で見る可能性のある）ＡＶデータの区間のみをダビングすることが可能であり、視聴済領域仮想プレイリストを選択すれば既に見た（今後も残しておきたい可能性のある）ＡＶデータの区間のみをダビングすることが可能である。
【００３２】
（実施の形態４）
図９は、本発明装置の実施の形態４の記録再生編集装置及び方法の構成を示すブロック図である。
【００３３】
図９において、７１は視聴済領域仮想プレイリスト更新手段１６で更新した視聴済領域仮想プレイリスト及び消去候補領域仮想プレイリスト更新手段１７で更新した消去候補領域仮想プレイリストの情報から視聴済領域仮想プレイリストの区間のうち消去候補領域仮想プレイリストの区間を除いたダビング候補領域仮想プレイリストを更新するダビング候補領域仮想プレイリスト更新手段であり、７０１は視聴済領域仮想プレイリストであり、７０２は消去候補領域仮想プレイリストであり、それ以外の符号で図１と同じ符号を有するものは同じ機能を有するので詳細な説明は省略する。
【００３４】
次に、図９ を参照しながら、以上のように構成された実施の形態４の記録再生編集装置及び方法の動作の説明を行う。
【００３５】
ダビング候補領域仮想プレイリスト更新手段７１にて視聴済領域仮想プレイリスト及び消去候補領域仮想プレイリストの情報から再生済みでかつ早送りやスキップなどの特殊再生が行われていない区間のみをまとめたダビング候補領域仮想プレイリストを更新し、プレイリストダビング選択手段６１においてダビング候補領域仮想プレイリストを選択する。その他は実施の形態３に記載の各処理と同じ手順であるので詳細な説明は省略する。
【００３６】
以上のように実施の形態４によれば、再生の操作履歴からユーザにとって不要と思われる区間を除いてダビングあるいは移動を行うことが可能である。
【００３７】
なお、本発明はコンピュータプログラムとして実現してもよい。また、電気通信回線または記録媒体等を介してそのプログラムを配布し、コンピュータを用いて本発明を実施することもできる。
【００３８】
上述の通り、本発明は好ましい実施形態により詳細に説明されるが、本発明はこれらに限定されるものではなく、特許請求の半家に記載された本発明の技術的範囲内において好ましい変形例及び修正例が可能であることは当業者にとって自明なことであろう。
【産業上の利用可能性】
【００３９】
本発明にかかる記録再生編集装置及び方法は、ＡＶデータをプレイリストと呼ばれる再生単位で管理するシステムにおいて、記録や再生の操作履歴を監視する操作履歴監視手段と、前記操作履歴監視手段に基づいて未再生区間を登録する未視聴領域仮想プレイリスト更新手段と、再生済み区間を登録する視聴済領域仮想プレイリスト更新手段と、早送りやスキップなどの特殊な再生を行った区間を登録する消去候補領域仮想プレイリスト更新手段と、仮想プレイリストを削除する際に参照している実ＡＶデータの区間も削除するかどうかを選択するプレイリスト削除選択手段と、仮想プレイリストが参照している実ＡＶデータの区間を削除するプレイリスト実ＡＶデータ削除手段によって、記録及び再生の操作履歴に応じて視聴に関する仮想プレイリストが自動的に更新され、これら仮想プレイリストの情報を使ってユーザにとって不要な区間の消去を効率よく行うことが必要な用途にも適用できる。
【図面の簡単な説明】
【００４０】
【図１】本発明の実施の形態１に於ける記録再生編集装置及び方法の例を示すブロック図
【図２】リアルプレイリストと仮想プレイリストの関係を表す図
【図３】本発明の記録再生編集装置及び方法で自動更新される仮想プレイリストの例を示すブロック図
【図４】本発明の実施の形態１に於ける記録操作時のフロー図
【図５】本発明の実施の形態１に於ける再生操作時のフロー図
【図６】本発明の実施の形態１に於ける削除操作時のフロー図
【図７】本発明の実施の形態２に於ける記録再生編集装置及び方法の例を示すブロック図
【図８】本発明の実施の形態３に於ける記録再生編集装置及び方法の例を示すブロック図
【図９】本発明の実施の形態４に於ける記録再生編集装置及び方法の例を示すブロック図
【符号の説明】
【００４１】
１１    プレイリスト情報管理手段
１２    記録手段
１３    再生手段
１４    操作履歴監視手段
１５    未視聴領域仮想プレイリスト更新手段
１６    視聴済領域仮想プレイリスト更新手段
１７    消去候補領域仮想プレイリスト更新手段
１８    プレイリスト削除選択手段
１９    プレイリスト実ＡＶデータ削除手段
５１    仮想プレイリスト編集手段
６１    プレイリストダビング選択手段
６２    実ＡＶデータダビング手段
７１    ダビング候補領域仮想プレイリスト更新手段
１０１    記録操作情報
１０２    再生操作情報
１０３    操作情報
１０４    操作履歴情報
１０５    プレイリスト削除指示情報
１０６    参照実ＡＶデータ管理情報
５０１    編集操作情報
６０１    プレイリストダビング指示情報
６０２    参照実ＡＶデータ管理情報
７０１    視聴済領域仮想プレイリスト
７０２    消去候補領域仮想プレイリスト
【図１】
2009151848.tif 000003
【図２】
2009151848.tif 000004
【図３】
2009151848.tif 000005
【図４】
2009151848.tif 000006
【図５】
2009151848.tif 000007
【図６】
2009151848.tif 000008
【図７】
2009151848.tif 000009
【図８】
2009151848.tif 000010
【図９】
2009151848.tif 000011